(57)【特許請求の範囲】
【請求項１】
データを通信する通信装置において、
少なくとも画像データを記憶する記憶手段と、
デジタルカメラと接続する接続手段と、
前記接続手段により接続されたデジタルカメラとの間で通信を行う接続通信手段と、
前記接続手段による接続とは異なる回線を介して通信を行う通信手段と、
前記通信手段による通信の相手を予め設定する機能或いは指定により設定する機能の一方又は両方を有する通信相手設定手段と、
前記接続手段により接続されたデジタルカメラに対する撮影指令を含む制御信号の送信を設定する撮影設定手段と、
前記撮影設定手段により前記制御信号の送信が設定された場合に、前記デジタルカメラに前記制御信号を送信し、前記通信相手設定手段により設定された相手先に対して前記通信手段により通信回線を接続するとともに、前記デジタルカメラから送信される印刷対象の画像データを受信して前記記憶手段に記憶させ、当該画像データの受信が完了し且つ前記相手先に対する通信回線が接続された場合に、前記相手先に対して前記記憶手段に記憶された画像データを前記通信手段により送信する制御手段と、
を備えたことを特徴とする通信装置。
【請求項２】
前記接続手段により接続されたデジタルカメラに対して前記制御信号を送信する間隔を設定する撮影間隔設定手段を備え、
前記制御手段は、前記撮影間隔設定手段により設定された間隔毎に、前記デジタルカメラに前記制御信号を送信し、前記通信相手設定手段により設定された相手先に対して前記通信手段により通信回線を接続するとともに、前記デジタルカメラから送信される印刷対象の画像データを受信して前記記憶手段に記憶させ、当該画像データの受信が完了し且つ前記相手先に対する通信回線が接続された場合に、前記相手先に対して前記記憶手段に記憶された画像データを前記通信手段により送信することを特徴とする、請求項１記載の通信装置。
【発明の詳細な説明】
【技術分野】
【０００１】
本発明は、通信装置に関し、特に、例えば、パーソナルコンピュータ（ＰＣ）等を使用せずに、デジタルカメラで撮影した画像のデータを送信する通信装置に関する。
【背景技術】
【０００２】
デジタル家電技術の進化により、デジタルスチルカメラ（ＤＳＣ）やプリンタやパーソナルコンピュータ（ＰＣ）を用いて、個人が自分で撮影した画像を手軽に印刷できるようになってきている。
特に、ＤＳＣとプリンタをＵＳＢ（Ｕｎｉｖｅｒｓａｌ  Ｓｅｒｉａｌ  Ｂｕｓ）（例えば、非特許文献１を参照。）等のインターフェイスで直接接続して印刷を実行するダイレクトプリント機能に対応した機器であれば、ＰＣを所有しないユーザであっても印刷が可能となるため、個人による写真印刷は、より一層、身近なものになりつつある。
【０００３】
ここで、ダイレクトプリント機能には、幾つかの方式が存在する。代表的なものとしては、一般社団法人カメラ映像機器工業会（ＣＩＰＡ：Ｃａｍｅｒａ＆Ｉｍａｇｉｎｇ  Ｐｒｏｄｕｃｔｓ  Ａｓｓｏｃｉａｔｉｏｎ）において標準化されたピクトブリッジ（ＰｉｃｔＢｒｉｄｇｅ：登録商標）（例えば、特許文献１や非特許文献２を参照。）が挙げられる。
【先行技術文献】
【特許文献】
【０００４】
【特許文献１】特開２００７−９０５２４号公報
【非特許文献】
【０００５】
【非特許文献１】ＵＳＢ  ２．０
【非特許文献２】ＣＩＰＡ規格  ＤＣ−００１規格書、カメラ映像機器工業会
【非特許文献３】標準規格  ＡＲＩＢ  ＳＴＤ−Ｔ７９、「市町村デジタル移動通信システム」、社団法人電波産業会
【非特許文献４】標準規格  ＡＲＩＢ  ＳＴＤ−Ｔ６１、「狭帯域デジタル通信方法」、社団法人電波産業会
【発明の概要】
【発明が解決しようとする課題】
【０００６】
一例として、携帯無線機、特に災害対策用防災無線通信システムの携帯無線機について説明する。災害対策用防災無線通信システムでは、非特許文献３のように音声での通話を目的とした音声通信と、データの送受信を目的とした非音声通信とがある。ＰＣ上の電子データを非音声通信で送信する場合には、専用のデータ伝送装置（ＰＣアプリケーション）が必要となる。
【０００７】
図６には、従来例に係るカメラ画像送信システムの構成例を示してある。
本例のカメラ画像送信システムには、携帯型の無線機２０１、デジタルカメラ２０２、メモリカード２０３、ＰＣ等からなるデータ伝送装置２０４、専用ケーブル２０５、基地局２１１、回線制御ユニット（ＬＣＵ：Ｌｉｎｅ  Ｃｏｎｔｒｏｌ  Ｕｎｉｔ）２１２、ＰＣ等からなるデータ伝送装置２１３、ケーブル２２１、２２２を備えている。
【０００８】
本例のカメラ画像送信システムでは、デジタルカメラ２０２で撮影された画像のデータをメモリカード２０３に記憶させ、データ伝送装置２０４のカードスロットにメモリカード２０３を挿入して、メモリカード２０３に記憶された画像データをデータ伝送装置２０４のメモリに記憶させ、データ伝送装置２０４のメモリに記憶された画像データを専用ケーブル２０５を介して無線機２０１へ出力し、当該画像データを無線機２０１により無線で送信する。
この画像データ（基地局波の無線信号）は、基地局２１１により受信されて、ケーブル２２１を介してＬＣＵ２１２により受信され、その後、ケーブル２２２を介してデータ伝送装置２１３により受信されてそのメモリに記憶される。
【０００９】
ここで、デジタルカメラで撮影した画像を非音声通信で送りたい場合には、デジタルカメラの画像を一旦ＰＣに取り込んでから送信しなければならず、ＰＣの準備やＰＣへの取り込み操作が煩雑となる。
また、一般の携帯電話のように無線機にカメラを内蔵する方法も考えられるが、一般的なデジタルカメラのような光学ズームを設けることが困難である。
【００１０】
本発明は、このような従来の事情に鑑み為されたもので、例えば、ＰＣ等を使用せずに、デジタルカメラで撮影した画像のデータを送信することができる通信装置に関する。
【課題を解決するための手段】
【００１１】
上記目的を達成するため、本発明では、データを通信する通信装置において、次のような構成とした。
すなわち、記憶手段が、少なくとも画像データを記憶する。接続手段が、デジタルカメラと接続する。接続通信手段が、前記接続手段により接続されたデジタルカメラとの間で通信を行う。通信手段が、前記接続手段による接続とは異なる回線を介して通信を行う。設定手段が、前記通信手段による通信の相手を予め設定する機能或いは指定により設定する機能の一方又は両方を有する。送信開始要求受け付け手段が、送信開始要求を受け付ける。制御手段が、前記送信開始要求受け付け手段により前記送信開始要求が受け付けられたことに応じて、印刷対象の画像データの受信待ちの状態になり、前記設定手段により設定された相手先に対して前記通信手段により通信回線を接続するとともに、前記デジタルカメラから出力される印刷対象の画像データを受信して前記記憶手段に記憶させ、当該画像データの受信が完了し且つ前記相手先に対する通信回線が接続された場合に、前記相手先に対して前記記憶手段に記憶された画像データを前記通信手段により送信する。
従って、例えば、ＰＣ等を使用せずに、デジタルカメラで撮影した画像のデータを送信することができる
また、上記目的を達成するため、本発明では、データを通信する通信装置において、次のような構成とした。
すなわち、データを通信する通信装置において、少なくとも画像データを記憶する記憶手段と、デジタルカメラと接続する接続手段と、前記接続手段により接続されたデジタルカメラとの間で通信を行う接続通信手段と、前記接続手段による接続とは異なる回線を介して通信を行う通信手段と、前記通信手段による通信の相手を予め設定する機能或いは指定により設定する機能の一方又は両方を有する通信相手設定手段と、前記接続手段により接続されたデジタルカメラに対する撮影指令を含む制御信号の送信を設定する撮影設定手段と、前記撮影設定手段により前記制御信号の送信が設定された場合に、前記デジタルカメラに前記制御信号を送信し、前記設定手段により設定された相手先に対して前記通信手段により通信回線を接続するとともに、前記デジタルカメラから送信される印刷対象の画像データを受信して前記記憶手段に記憶させ、当該画像データの受信が完了し且つ前記相手先に対する通信回線が接続された場合に、前記相手先に対して前記記憶手段に記憶された画像データを前記通信手段により送信する制御手段と、を備える。
【００１２】
ここで、記憶手段としては、種々なものが用いられてもよい。
また、デジタルカメラや、接続手段や、接続通信手段としては、それぞれ、種々なものが用いられてもよい。デジタルカメラは、例えば、デジタルスチルカメラやデジタルビデオカメラであり、携帯電話機等に機能として備えられているものも含む。また、デジタルビデオカメラの場合、例えば、撮像された動画から取り出した静止画データが、画像データとなる。
また、通信手段や、通信手段により使用される回線としては、それぞれ、種々なものが用いられてもよい。例えば、回線としては、無線の回線が用いられてもよく、或いは、有線の回線が用いられてもよい。
【００１３】
また、通信手段による通信の相手としては、種々なものが用いられてもよい。
また、設定手段としては、例えば、通信の相手を予め設定する機能と、通信の相手を指定により設定する機能のうちの一方のみを有してもよく、又は、両方を有してもよい。通信の相手を予め設定する機能では、例えば、予め、メモリなどに通信の相手の電話番号などの識別情報を記憶させて設定する。また、通信の相手を指定により設定する機能では、例えば、ユーザ（人）による操作入力或いは外部の装置からの入力に応じて、通信の相手の電話番号などの識別情報を受け付けてメモリなどに記憶させて設定する。
【００１４】
また、デジタルカメラでは、例えば、ユーザ（人）による操作入力などに応じて、印刷開始要求を受け付け、これに応じて、印刷開始要求に係る画像のデータを印刷データとして送信する。
【発明の効果】
【００１５】
以上説明したように、本発明に係る通信装置によると、例えば、ＰＣ等を使用せずに、デジタルカメラで撮影した画像のデータを送信することができ、通信装置を使用するユーザの利便性を向上させることができる。
【図面の簡単な説明】
【００１６】
【図１】本発明の一実施例（第１実施例）に係るカメラ画像送信システムの構成例を示す図である。
【図２】無線機において行われる処理の手順の一例を示すフローチャートの図である。
【図３】無線機の画面に表示される内容の遷移の一例を示す図である。
【図４】画像送信が正常に行われる場合における処理のシーケンスの一例を示す図である。
【図５】操作タイムアウトが発生した場合における処理のシーケンスの一例を示す図である。
【図６】従来例に係るカメラ画像送信システムの構成例を示す図である。
【図７】本発明の一実施例（第２実施例）に係る無線端末装置の構成例を示す図である。
【図８】無線通信システムの構成例を示す図である。
【図９】本発明の一実施例（第２実施例）に係る無線端末装置の特徴的な機能の例を示す図である。
【図１０】電話番号保持機能により保持されるテーブルの情報の一例を示す図である。
【図１１】ＤＳＣでのピクトブリッジ印刷操作時の処理の流れの一例を示す図である。
【図１２】印刷要求リジェクト時の処理の流れの一例を示す図である。
【図１３】画像データを縮小する場合における処理の流れの一例を示す図である。
【図１４】無線機において行われる処理の手順の一例を示すフローチャートの図である。
【図１５】無線機の画面に表示される内容の遷移の一例を示す図である。
【発明を実施するための形態】
【００１７】
本発明に係る実施例を図面を参照して説明する。
なお、以下では、発明の実施の形態を通じて本発明を図を用いて説明するが、以下の実施形態は、特許請求の範囲に係る発明を限定するものではなく、また、実施形態の中で説明されている特徴の組み合わせの全てが発明の解決手段に必須であるとは限らない。
【００１８】
また、以下の各実施例に記載した内容は、例えば、それぞれ独立して実施されてもよく、或いは、一の実施例に記載された技術に、他の実施例に記載された任意の技術（一部でもよい）を組み合わせて実施されてもよい。
【実施例１】
【００１９】
本発明の第１実施例を説明する。
図１には、本発明の一実施例に係るカメラ画像送信システムの構成例を示してある。
本例のカメラ画像送信システムには、携帯型の無線機（無線端末装置）１０１、デジタルカメラ１０２、専用ケーブル１０３、基地局１１１、回線制御ユニット（ＬＣＵ）１１２、ＰＣ等からなるデータ伝送装置１１３、ケーブル１２１、１２２を備えている。
【００２０】
概略的な動作例としては、本例のカメラ画像送信システムでは、デジタルカメラ１０２で撮影された画像のデータを専用ケーブル１０３を介して無線機１０１へ出力し、当該画像データを無線機１０１により無線で送信する。
この画像データ（基地局波の無線信号）は、基地局１１１により受信されて、ケーブル１２１を介してＬＣＵ１１２により受信され、その後、ケーブル１２２を介してデータ伝送装置１１３により受信されてそのメモリに記憶される。
【００２１】
更に詳しく説明する。
図２には、本例の無線機１０１において行われる画像送信処理の手順の一例を示してある。
まず、所定のカメラ画像送信メニューを表示している状態であるとする（ステップＳ１）。
ここで、ユーザ（人）により、送信開始操作として、例えば、送信開始を選択して決定キーを押下すると（ステップＳ２）、カメラ画像受信待ち（印刷待ち）の旨を表示して（ステップＳ３）、相手局（本例では、基地局１１１及びＬＣＵ１１２を介して接続されるデータ伝送装置１１３）へ無線で発信し、無線接続を行う（ステップＳ４）。
【００２２】
この状態でデジタルカメラ１０２からの印刷を受け付けられるようになる。本例では、デジタルカメラ１０２の印刷では、ピクトブリッジを用いる。ユーザがデジタルカメラ１０２側で印刷操作を行うと、デジタルカメラ１０２から無線機１０１へ画像データが印刷データとして送信される。
無線機１０１では、この画像データ（印刷データ）を受信して、例えば、内部のメモリに記憶する。
【００２３】
画像データ（印刷データ）の受信と相手局との無線接続が完了した時点で（ステップＳ５）、ファイル送信中（データ送信中）の表示を行って（ステップＳ６）、画像データ（印刷データ）のファイルデータの送信を開始する（ステップＳ７）。
ここで、ファイルデータの送信方法としては、種々なものが用いられてもよく、例えば、ベーシック（Ｂａｓｉｃ）手順が用いられてもよく、或いは、ＸＭＯＤＥＭのようなバイナリ転送プロトコルが用いられてもよい。
また、印刷時にファイル名を取得することが可能であるため、ファイル送信時にファイル名を送信することも可能である。
【００２４】
ファイルデータの送信が完了すると（ステップＳ８）、無線回線を切断して（ステップＳ９）、ファイル送信の結果（画像送信終了の旨又は、画像送信の成否、又はその両方など）を表示し（ステップＳ１０）、その後、カメラ画像送信メニューを表示する状態へ移行する（ステップＳ１１）。
なお、ファイル送信の失敗を検出して再送を行うことも可能である。
【００２５】
図３には、本例の無線機１０１の画面に表示される内容の遷移の一例を示してある。
アイドル表示（画面Ｄ１）の状態で、ユーザによりメニューキーが押下されると、設定メニュー（画面Ｄ２、Ｄ３）を表示する。
ユーザにより設定メニューからカメラ画像送信（カメラデータ送信）が選択されて決定キーが押下されると、カメラ画像送信メニュー（画面Ｄ４）を表示する。
【００２６】
カメラ画像送信メニューでは、カメラ画像の送信のほかに、非音声通信に必要な設定を行うことができる。
具体例として、ユーザの操作により、誤り訂正設定（画面Ｄ５）へ移行して誤り訂正のオン／オフ（ＯＮ／ＯＦＦ）を設定することや、送信スロット数設定（画面Ｄ６）へ移行して送信スロットの数を設定することや、また、相手先電話番号設定メニュー（画面Ｄ７）へ移行した後に、電話帳（画面Ｄ８）へ移行して相手先の電話番号を電話帳から選択すること或いは相手先電話番号入力（画面Ｄ９）へ移行して相手先の電話番号を数字で直接入力することができる。ここで、通信の相手先の装置は、例えば、予め設定されていてもよい。
なお、これらの処理の後は、カメラ画像送信メニュー（画面Ｄ４）へ戻る。
【００２７】
カメラ画像送信メニュー（画面Ｄ４）において、ユーザにより送信開始が選択されて決定キーが押下されると、カメラ画像受信待ち（画面Ｄ１０）を表示する。本例では、このカメラ画像受信待ち（画面Ｄ１０）において、ユーザに対して印刷操作を促すメッセージが表示され、具体的には、「カメラの印刷ボタンを押してしばらくお待ち下さい」などと表示される。
ユーザにより印刷操作としてデジタルカメラ１０２の印刷ボタンが押下されて、デジタルカメラ１０２から送信される印刷対象の画像データの受信を完了するとともに、相手局との無線接続が完了すると、データ送信中（画面Ｄ１１）を表示する。
【００２８】
データ送信中（画面Ｄ１１）の後に、データ送信が成功すると、成功（送信完了）した旨の画像送信終了（画面Ｄ１２）を表示する。
一方、カメラ画像受信待ち（画面Ｄ１０）の後にオンフック又は無線接続失敗が生じた場合や、データ送信中（画面Ｄ１１）の後にオンフック又はデータ送信失敗が生じた場合には失敗した旨の画像送信終了（画面Ｄ１３）を表示する。
なお、処理が終了した後は、カメラ画像送信メニュー（画面Ｄ４）へ戻る。
また、決定キーやクリアキーが使用可能な画面においては、決定キーの押下により選択された事項が決定され、クリアキーの押下により画面がクリアされて定められた他の画面へ移行する。
【００２９】
ここで、図２と図３の対応例を示すと、ステップＳ１やステップＳ１１とカメラ画像送信メニュー（画面Ｄ４）が対応し、ステップＳ３とカメラ画像受信待ち（画面Ｄ１０）が対応し、ステップＳ６とデータ送信中（画面Ｄ１１）が対応し、ステップＳ１０と画像送信終了（画面Ｄ１２）が対応する。
【００３０】
次に、図４及び図５を参照して、処理のシーケンスの例を示す。
図４及び図５では、ユーザ１３１がカメラ（本例では、デジタルカメラ）１３２や移動局（無線機の例）１３３を操作し、画像送信の相手局が移動局１３４を介して接続されるデータ伝送装置１３５である場合を示す。
【００３１】
図４には、画像送信が正常に行われる場合における処理のシーケンスの一例を示してある。
ユーザ１３１が移動局１３３に送信開始を要求（指示）すると（処理Ｔ１０１）、移動局１３３は移動局１３４と回線接続する（処理Ｔ１０２）。このとき、送信側の移動局１３３は印刷待ちの状態となり、受信側の移動局１３４は回線使用中の旨を表示する。
また、移動局１３４からデータ伝送装置１３５へＲＩＮＧ（着信の通知）が送信され（処理Ｔ１０３）、データ伝送装置１３５から移動局１３４へＡＴＡ（着信）が送信され（処理Ｔ１０４）、移動局１３４からデータ伝送装置１３５へＣＯＮＮＥＣＴ（通信状態の確立）が送信される（処理Ｔ１０５）。
【００３２】
次に、移動局１３３からデータ伝送装置１３５へＣＮＩ電文（接続情報通知電文）が送信され（処理Ｔ１０６）、データ伝送装置１３５から移動局１３３へＡＣＫ（応答）が送信された後に（処理Ｔ１０７）、ＣＮＡ電文（接続情報応答電文）が送信され（処理Ｔ１０８）、移動局１３３からデータ伝送装置１３５へＡＣＫ（応答）が送信される（処理Ｔ１０９）。
その後、無通信時間となる。
【００３３】
処理Ｔ１０９が行われた後にユーザ１３１がカメラ１３２に印刷開始を要求（指示）すると（処理Ｔ１１０）、カメラ１３２に記憶された印刷対象の画像データ（印刷データ）が移動局１３３へ送信される（処理Ｔ１１１）。
移動局１３３は、送信中の旨を表示する状態となり、移動局１３４を介してデータ伝送装置１３５へＴＦＤ電文（ファイル転送要求電文）（印刷データ）を送信する（処理Ｔ１１２）。データ伝送装置１３５は移動局１３３へＡＣＫ（応答）を送信するとともに（処理Ｔ１１３）、ＴＦＡ電文（ファイル転送応答電文）を送信する（処理Ｔ１１４）。
データ伝送装置１３５は、例えば音出力などにより、ファイル受信通知を行う（処理Ｔ１１５）。
【００３４】
その後、移動局１３３と移動局１３４との間の回線が切断され（処理Ｔ１１６）、移動局１３４からデータ伝送装置１３５へＮＯ  ＣＡＲＲＩＥＲが送信される（処理Ｔ１１７）。
移動局１３３は、送信結果を表示する状態となる。
【００３５】
ここで、本例では、ユーザ１３１による移動局１３３の操作により回線接続を開始する。そして、移動局１３３は、ユーザによる印刷開始指示及びカメラ１３２からの印刷データの受信完了（約５秒）を、回線を接続したまま待つ。
このとき、ユーザ１３１による印刷操作が無いと、移動局１３３は、無線回線を占有したままとなるため、本例では、時限監視を行って、所定の時間が経過すると、回線を切断する（操作タイムアウト）。
なお、一例として、無通信時間＝ユーザ操作待ち時間＋印刷時間５秒−（ＣＯＮＮＥＣＴまで約５秒＋ＣＮＩ電文送信待ち４秒＋ＣＮＩ送信からＣＮＡ受信まで約１秒）、となる。
【００３６】
図５には、操作タイムアウトが発生した場合における処理のシーケンスの一例を示してある。
送信開始（処理Ｔ１２１）、回線接続（処理Ｔ１２２）、ＲＩＮＧ（処理Ｔ１２３）、ＡＴＡ（処理Ｔ１２４）、ＣＯＮＮＥＣＴ（処理Ｔ１２５）、ＣＮＩ電文（処理Ｔ１２６）、ＡＣＫ（処理Ｔ１２７）、ＣＮＡ電文（処理Ｔ１２８）、ＡＣＫ（処理Ｔ１２９）については、図４に示される処理Ｔ１０１〜Ｔ１０９と同様である。
【００３７】
移動局１３３は、送信開始の指示（処理Ｔ１２１）を受けてから、印刷（画像）データの受信を待つが、印刷操作が無いまま、所定の時間Ｔ１が経過した場合には、移動局１３４との回線を切断する（処理Ｔ１３０）。
移動局１３４からデータ伝送装置１３５へＮＯ  ＣＡＲＲＩＥＲが送信される（処理Ｔ１３１）。
移動局１３３は、送信結果を表示する状態となる。
【００３８】
ここで、本例の移動局１３３では、送信開始から所定の時間Ｔ１が経過しても画像データの受信が完了しない場合には、回線を切断する。
所定の時間Ｔ１としては、一例として、Ｔ１＝ユーザ操作待ち６０秒＋受信完了待ち１０秒＝７０秒、とする。なお、本例では、ユーザ操作待ちと受信完了待ちを併せて時限監視をする。また、タイムアウト直前で印刷開始を行った場合でもタイムアウトする場合がある。
また、ユーザの無操作でタイムアウトする場合でも、（回線占有時間＝７０秒−ＣＯＮＮＥＣＴまで約５秒＝約６５秒）の時間分、回線を占有する。
【００３９】
以上のように、本例のカメラ画像送信システムでは、データ通信を行う無線機１０１において、デジタルカメラ１０２と例えばＵＳＢにより接続し、デジタルカメラ１０２からの印刷データ（画像データ）を画像ファイルとしてデータ送信する。この場合に、本例の無線機１０１は、デジタルカメラ１０２からの画像データを印刷データとしてピクトブリッジ機能を利用することで送信する。
このように、本例の無線機１０１は、デジタルデータを送信する機能を有しており、デジタルカメラ１０２で撮影した画像データを無線により送信する。
【００４０】
また、本例のカメラ画像送信システムでは、無線機１０１に対するユーザの操作（送信開始）により無線機１０１を印刷待ちの状態（デジタルカメラ１０２からの画像データの受信待ちの状態）にするとともに、無線機１０１によりデータ送信を行う相手局に対して発信を行い、相手局との回線接続をし、例えばユーザにより印刷開始の操作が行われた時点でデジタルカメラ１０２より画像データ（印刷データ）が無線機１０１に送信され、無線機１０１は印刷（受信）及び相手局との回線接続が完了した時点でユーザの操作無しに相手局へデータの送信を開始する。
【００４１】
従って、本例のカメラ画像送信システムでは、例えば、ＰＣ等の機材を使用することなく、デジタルカメラ１０２で撮影した画像データを、無線機１０１から非音声通信により送信することができる。また、無線機１０１では、カメラデータの受信前に無線回線の接続を行うため、カメラデータの受信中に他の無線機からの着信によりカメラデータの送信が邪魔されることがない。また、例えば、防災無線に適用される場合には、防災無線特有の統制通信や一斉通信、緊急放送等、統制局から強制切断されてからの通信を受けることができる。
この様に強制的に接続を切断された場合には、受信していた画像データの続きからデータを送信することが可能である。
【００４２】
なお、本例のカメラ画像送信システムでは、無線機１０１（通信装置の一例）において、画像データをメモリに記憶する機能により記憶手段が構成されており、専用ケーブル１０３を介してデジタルカメラ１０２と接続する機能により接続手段が構成されており、接続されたデジタルカメラ１０２との間で通信を行う機能により接続通信手段が構成されており、デジタルカメラ１０２との接続とは異なる回線（本例では、基地局波の無線回線）を介して通信を行う機能により通信手段が構成されており、通信の相手（本例では、相手先の電話番号）を予め設定する機能やユーザからの指定により設定する機能により設定手段が構成されており、ユーザから送信開始要求を受け付ける機能により送信開始要求受け付け手段が構成されており、送信開始要求が受け付けられて印刷対象の画像データの受信及び相手先との通信回線の接続が為された後に当該相手先に対して当該画像データを送信する機能により制御手段が構成されている。
【００４３】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウェア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウェア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【００４４】
例えば、上述した実施例では、デジタルカメラ１０２のピクトブリッジ機能による印刷要求に基づいて無線機１０１が画像データの送信処理等を行う場合を例にあげた。しかし、本発明におけるデジタルカメラからの印刷要求は、ピクトブリッジの方式に限定されるものではなく、様々な方式の印刷要求に対応でき、その場合、ピクトブリッジ機能はその方式に対応するものになり、処理内容は特に変わらない。
（以上、第１実施例の説明）
【実施例２】
【００４５】
本発明の第２実施例を説明する。
（第２実施例の手段）
本発明（第２実施例に係る発明）では、データを通信する通信装置において、次のような構成とした。
すなわち、記憶手段が、画像データを記憶する。接続手段が、デジタルカメラと接続する。接続通信手段が、前記接続手段により接続されたデジタルカメラとの間で通信を行う。通信手段が、前記接続手段による接続とは異なる回線を介して通信を行う。設定手段が、前記通信手段による通信の相手を予め設定する機能或いは指定により設定する機能の一方又は両方を有する。制御手段が、前記接続手段により接続されたデジタルカメラから出力された印刷要求が前記接続通信手段により受信されたことに応じて、当該デジタルカメラから出力される画像データを受信して前記記憶手段に書き込んで記憶させ、当該書き込みが終了した場合に前記接続通信手段により当該デジタルカメラに対して印刷完了通知を送信し、これとともに、前記設定手段により設定された相手先に対して前記記憶手段に記憶された画像データを前記通信手段により送信する。
従って、通信装置では、デジタルカメラからの操作で画像データを送信することができ、例えば、通信装置を使用するユーザの利便性を向上させることができる。
【００４６】
ここで、記憶手段としては、種々なものが用いられてもよい。
また、デジタルカメラや、接続手段や、接続通信手段としては、それぞれ、種々なものが用いられてもよい。デジタルカメラは、例えば、デジタルスチルカメラやデジタルビデオカメラであり、携帯電話機等に機能として備えられているものも含む。また、デジタルビデオカメラの場合、撮像された動画から取り出した静止画データが、本発明（第２実施例に係る発明）の画像データとなる。
また、通信手段や、通信手段により使用される回線としては、それぞれ、種々なものが用いられてもよい。例えば、回線としては、無線の回線が用いられてもよく、或いは、有線の回線が用いられてもよい。
【００４７】
また、通信手段による通信の相手としては、種々なものが用いられてもよい。
また、設定手段としては、例えば、通信の相手を予め設定する機能と、通信の相手を指定により設定する機能のうちの一方のみを有してもよく、又は、両方を有してもよい。通信の相手を予め設定する機能では、例えば、予め、メモリなどに通信の相手の電話番号などの識別情報を記憶させて設定する。また、通信の相手を指定により設定する機能では、例えば、ユーザ（人）による操作入力或いは外部の装置からの入力に応じて、通信の相手の電話番号などの識別情報を受け付けてメモリなどに記憶させて設定する。
【００４８】
また、デジタルカメラでは、例えば、ユーザ（人）による操作入力などに応じて、印刷要求を出力し、当該印刷要求に係る画像のデータを出力し、また、印刷完了通知を受信する。
また、制御手段により前記設定手段により設定された相手先に対して前記記憶手段に記憶された画像データを前記通信手段により送信するタイミングとしては、種々なタイミングが用いられてもよく、例えば、デジタルカメラから出力される画像データを受信して記憶手段に書き込んで記憶させる当該書き込みが終了した後の任意のタイミングが用いられてもよく、或いは、接続通信手段によりデジタルカメラに対して印刷完了通知を送信した後の任意のタイミングが用いられてもよく、或いは、実用上で有効であれば、デジタルカメラから出力される画像データを受信して記憶手段に書き込んで記憶させる当該書き込みが終了する前の任意のタイミングが用いられてもよく、この場合においても、記憶手段に書き込まれた分の画像データについては順次送信することが可能である。
【００４９】
（第２実施例の効果）
以上説明したように、本発明（第２実施例に係る発明）に係る通信装置によると、デジタルカメラからの操作で画像データを送信することができ、例えば、通信装置を使用するユーザの利便性を向上させることができる。
【００５０】
（第２実施例の実施形態）
図７には、本発明の一実施例に係る無線端末装置２１の構成例を示してある。
本例の無線端末装置２１は、電源１、無線部２、アンテナ３、中央制御装置（ＣＰＵ：Ｃｅｎｔｒａｌ  Ｐｒｏｃｅｓｓｉｎｇ  Ｕｎｉｔ）４、不揮発メモリ５、ＲＡＭ（Ｒａｎｄｏｍ  Ａｃｃｅｓｓ  Ｍｅｍｏｒｙ）６、表示部７、入力部８、ＬＥＤ（Ｌｉｇｈｔ  Ｅｍｉｔｔｉｎｇ  Ｄｉｏｄｅ）９、マイク１０、スピーカ１１、ＵＳＢＩＦ（ＵＳＢ  Ｉｎｔｅｒｆａｃｅ）１２、シリアルＩＦ１３を備えている。
【００５１】
ここで、電源１は、装置に電源を供給する。無線部２は、アンテナ３を使用して、無線により通信（送信や受信）を行う。ＣＰＵ４は、各種の処理や制御を行う。不揮発メモリ５は、各種のデータを記憶する。ＲＡＭ６は、データを一時的に記憶する。表示部７は、情報を画面に表示する。入力部８は、ユーザ（人）により操作されるキーなどを有しており、操作内容の情報を入力する。ＬＥＤ９は、発光する。マイク１０は、音（例えば、音声など）を入力する。スピーカ１１は、音（例えば、音声など）を出力する。ＵＳＢＩＦ１２は、外部機器を接続するためのＵＳＢのインターフェイスである。シリアルＩＦ１３は、外部機器を接続するためのシリアル伝送方式のインターフェイスである。
【００５２】
図８には、本例の無線端末装置２１を含む無線通信システムの構成例を示してある。
本例の無線通信システムは、本例の無線端末装置２１、デジタルスチルカメラ（ＤＳＣ）２２、データ伝送装置（例えば、ＰＣ）２３、無線基地局装置３１、回線交換局装置３２、有線端末装置３３、データ伝送装置（例えば、ＰＣ）３４、無線回線４１、有線伝送路４２、４３、４４、などを有している。
【００５３】
ここで、図８に示すように、無線端末装置２１に、例えば、ＵＳＢＩＦ１２を介してデジタルスチルカメラ２２が接続され、シリアルＩＦ１３を介してデータ伝送装置２３が接続される。
また、無線基地局装置３１、回線交換局装置３２、有線端末装置３３、データ伝送装置３４が、例えば、有線伝送路４２、４３、４４を介して、直列に接続されている。
また、無線端末装置２１のアンテナと無線基地局装置３１のアンテナとが、無線回線４１を介して接続される。
【００５４】
本例では、無線端末装置２１と無線基地局装置３１とが無線回線４１を介して無線により通信することで、無線端末装置２１から無線基地局装置３１を介して送信先となる他の装置（例えば、データ伝送装置３４など）に対してデータを送信することができる。
【００５５】
図９には、本例の無線端末装置２１の特徴的な機能の例を示してある。
本例の無線端末装置２１は、特徴的な機能として、ＵＳＢ接続機能５１、ピクトブリッジ機能５２、仮想バッファ出力機能５３、仮想バッファ５４、ファイル転送機能５５、ＭＭＩ（Ｍａｎ  Ｍａｃｈｉｎｅ  Ｉｎｔｅｒｆａｃｅ）機能５６、電話番号保持機能５７、無線通信機能５８を有している。
【００５６】
ここで、本例では、これらの機能は、ソフトウェアプログラムを用いて実現される。ソフトウェアプログラム及びデータは、不揮発メモリ５やＲＡＭ６に格納され、ＣＰＵ４により処理される。
また、仮想バッファ５４は、ＲＡＭ６上やＣＰＵ４のメモリ（図示略）上等に配置される。電話番号保持機能５７は、不揮発メモリ５及び／又はＲＡＭ６上に配置される。
【００５７】
図１０には、電話番号保持機能５７により保持されるテーブルの情報の一例を示してある。
本例のテーブルでは、動作モードの情報、送信先設定の情報、送信先電話番号１の情報、送信先電話番号２の情報、送信先電話番号履歴１の情報、送信先電話番号履歴２の情報が保持される。
【００５８】
ここで、動作モードとして自動（例えば、０）が設定されている場合には、ファイル転送機能５５が、送信先設定の情報を参照して、送信先に対して自動的に発信する。一方、動作モードとして手動（例えば、１）が設定されている場合には、ＭＭＩ機能５６を介してユーザにより手動で、送信先電話番号１、送信先電話番号２、送信先電話番号履歴１、送信先電話番号履歴２の中から送信先を選択し、これに応じて装置が発信する。
【００５９】
また、送信先設定の情報としては、例えば、送信先電話番号１を送信先とする値（例えば、１）、或いは、送信先電話番号２を送信先とする値（例えば、２）、のいずれかが設定される。
また、送信先電話番号１の情報や送信先電話番号２の情報は、固定長文字列で設定される。
また、送信先電話番号履歴１の情報や送信先電話番号履歴２の情報は、固定長文字列で設定され、装置の通信状況（送信状況）に基づいて更新される。
なお、電話番号保持機能５７のテーブルの内容は、例えば、ユーザが入力部８へ入力した操作内容に応じて、ＭＭＩ機能５６を介して変更される。
【００６０】
図１１を参照して、ＤＳＣ２２でのピクトブリッジ印刷操作時の処理のシーケンスの一例を示す。
通常、ピクトブリッジ機能がプリンタに搭載される場合には、データの転送が完了した後に受信データをプリント出力するが、本例では、仮想バッファ出力機能５３が仮想バッファ５４にデータを出力する。
【００６１】
具体的には、本例の無線端末装置２１では、ＤＳＣ２２から出力される接続要求（Ｔ１）の信号がＵＳＢＩＦ１２を介してＵＳＢ接続機能５１により受信され、ＵＳＢ接続機能５１がＤＳＣ２２へ接続完了（Ｔ２）の信号を出力する。その後、ＤＳＣ２２において例えばユーザにより印刷を指示する操作（Ｔ３）が行われると、ＤＳＣ２２から印刷要求（Ｔ４）の信号が出力されてＵＳＢＩＦ１２及びＵＳＢ接続機能５１を介してピクトブリッジ機能５２により受信される。
【００６２】
すると、ピクトブリッジ機能５２は印刷要求（Ｔ５）の信号を仮想バッファ出力機能５３へ出力し、仮想バッファ出力機能５３は当該信号を受信したことに応じて印刷要求許可（Ｔ６）の信号をＵＳＢ接続機能５１やＵＳＢＩＦ１２を介してＤＳＣ２２へ出力する。これにより、ＵＳＢＩＦ１２やＵＳＢ接続機能５１を介して、ＤＳＣ２２から仮想バッファ出力機能５３へ、印刷対象となるデータの送信（転送）処理（Ｔ７）が行われる。
【００６３】
仮想バッファ出力機能５３はＤＳＣ２２から受信したデータを仮想バッファ５４に書き込む処理（Ｔ８）を実行し、仮想バッファ５４はデータ書き込み完了（Ｔ９）の通知を仮想バッファ出力機能５３へ出力する。これにより、仮想バッファ出力機能５３は、印刷完了通知（Ｔ１０）の信号をＵＳＢ接続機能５１やＵＳＢＩＦ１２を介してＤＳＣ２２へ出力する。
【００６４】
図１２を参照して、印刷要求リジェクト時の処理のシーケンスの一例を示す。
本例では、ＤＳＣ２２からの印刷要求があった際に、仮想バッファ出力機能５３は、ＤＳＣ２２に対してデータサイズの通知を要求し、データサイズの情報を取得する。仮想バッファ出力機能５３は、データサイズが予め設定された閾値以上（又は、閾値を超える）か否かを判定し、閾値以上であった（又は、閾値を超えた）場合には、ＤＳＣ２２に対して印刷要求リジェクトを送信して、以降の処理を行わない。
【００６５】
具体的には、本例の無線端末装置２１では、ＤＳＣ２２から出力される接続要求（Ｔ４１）の信号がＵＳＢＩＦ１２を介してＵＳＢ接続機能５１により受信され、ＵＳＢ接続機能５１がＤＳＣ２２へ接続完了（Ｔ４２）の信号を出力する。その後、ＤＳＣ２２において例えばユーザにより印刷を指示する操作が行われると、ＤＳＣ２２から印刷要求（Ｔ４３）の信号が出力されてＵＳＢＩＦ１２及びＵＳＢ接続機能５１を介してピクトブリッジ機能５２により受信される。
【００６６】
すると、ピクトブリッジ機能５２は印刷要求（Ｔ４４）の信号を仮想バッファ出力機能５３へ出力する。この信号を受信すると、仮想バッファ出力機能５３はデータサイズの通知を要求する信号（Ｔ４５）をＵＳＢ接続機能５１やＵＳＢＩＦ１２を介してＤＳＣ２２へ出力し、これに応じて、ＤＳＣ２２はデータサイズを示す応答（Ｔ４６）の信号をＵＳＢＩＦ１２やＵＳＢ接続機能５１を介して仮想バッファ出力機能５３へ出力する。
【００６７】
仮想バッファ出力機能５３は、通知されたデータサイズ（本例では、印刷対象となる画像データのサイズ）が予め設定された閾値以上（又は、閾値を超える）か否かを判定し（Ｔ４７）、閾値以上であった（又は、閾値を超えた）場合には、印刷要求を拒否する印刷要求リジェクト（Ｔ４８）の信号をＵＳＢ接続機能５１やＵＳＢＩＦ１２を介してＤＳＣ２２へ出力して、以降の処理を行わないようにする。
【００６８】
ここで、図１２に示されるデータサイズ要求（Ｔ４５）の処理及びデータサイズ応答（Ｔ４６）の処理は、例えば、図１１に示される印刷要求（Ｔ５）の処理と印刷要求許可（Ｔ６）の処理との間で行うことができ、この場合、仮想バッファ出力機能５３は、通知されたデータサイズが予め設定された閾値未満（又は、閾値以下）であるか否かを判定し、閾値未満（又は、閾値以下）であった場合には、印刷要求許可（Ｔ６）の信号をＤＳＣ２２へ出力する。
【００６９】
図１３を参照して、画像データを縮小する場合における処理のシーケンスの一例を示す。
本例では、ＤＳＣ２２からの印刷要求があった際に、仮想バッファ出力機能５３は、ＤＳＣ２２に対してデータサイズの通知を要求し、データサイズの情報を取得する。また、仮想バッファ出力機能５３は、ＤＳＣ２２に対して印刷要求許可を送信して、データ転送処理を行う。また、仮想バッファ出力機能５３は、データサイズが予め設定された閾値以上（又は、閾値を超える）か否かを判定し、閾値以上であった（又は、閾値を超えた）場合には、画像データの縮小処理を行って、その結果を仮想バッファ５４に出力する。仮想バッファ５４へのデータ書き込みが完了した後に、仮想バッファ出力機能５３は、ピクトブリッジ機能５２を介してＤＳＣ２２へ印刷完了通知を送信する。
【００７０】
具体的には、本例の無線端末装置２１では、ＤＳＣ２２から出力される接続要求（Ｔ５１）の信号がＵＳＢＩＦ１２を介してＵＳＢ接続機能５１により受信され、ＵＳＢ接続機能５１がＤＳＣ２２へ接続完了（Ｔ５２）の信号を出力する。その後、ＤＳＣ２２において例えばユーザにより印刷を指示する操作が行われると、ＤＳＣ２２から印刷要求（Ｔ５３）の信号が出力されてＵＳＢＩＦ１２及びＵＳＢ接続機能５１を介してピクトブリッジ機能５２により受信される。
【００７１】
すると、ピクトブリッジ機能５２は印刷要求（Ｔ５４）の信号を仮想バッファ出力機能５３へ出力する。この信号を受信すると、仮想バッファ出力機能５３はデータサイズの通知を要求する信号（Ｔ５５）をＵＳＢ接続機能５１やＵＳＢＩＦ１２を介してＤＳＣ２２へ出力し、これに応じて、ＤＳＣ２２はデータサイズを示す応答（Ｔ５６）の信号をＵＳＢＩＦ１２やＵＳＢ接続機能５１を介して仮想バッファ出力機能５３へ出力する。
【００７２】
すると、仮想バッファ出力機能５３はデータサイズの通知を受信したことに応じて印刷要求許可（Ｔ５７）の信号をＵＳＢ接続機能５１やＵＳＢＩＦ１２を介してＤＳＣ２２へ出力する。これにより、ＵＳＢＩＦ１２やＵＳＢ接続機能５１を介して、ＤＳＣ２２から仮想バッファ出力機能５３へ、印刷対象となるデータの送信（転送）処理（Ｔ５８）が行われる。
【００７３】
その後、仮想バッファ出力機能５３は、通知されたデータサイズ（本例では、印刷対象となる画像データのサイズ）が予め設定された閾値以上（又は、閾値を超える）か否かを判定し（Ｔ５９）、閾値以上であった（又は、閾値を超えた）場合には、受信したデータ（本例では、印刷対象となる画像データ）の縮小処理（Ｔ６０）を行って、その結果のデータを仮想バッファ５４に書き込む処理（Ｔ６１）を実行し、仮想バッファ５４はデータ書き込み完了（Ｔ６２）の通知を仮想バッファ出力機能５３へ出力する。これにより、仮想バッファ出力機能５３は、印刷完了通知（Ｔ６３）の信号をＵＳＢ接続機能５１やＵＳＢＩＦ１２を介してＤＳＣ２２へ出力する。
【００７４】
一方、仮想バッファ出力機能５３は、通知されたデータサイズ（本例では、印刷対象となる画像データのサイズ）が予め設定された閾値未満（又は、閾値以下）であった場合には、受信したデータ（本例では、印刷対象となる画像データ）をそのまま、仮想バッファ５４に書き込む処理（Ｔ６１）を実行する。そして、以降の処理が実行される。
なお、図１３の例におけるデータサイズ要求（Ｔ５５）及びデータサイズ応答（Ｔ５６）の処理は省略してもよい。また、図１３の例においてデータ転送処理（Ｔ５８）された画像データは、仮想バッファ出力機能５３により随時仮想バッファ５４又は無線端末装置２１内の他の記憶部に一時的に記憶され、その一方で画像データサイズ判定（Ｔ５９）が行われ、その後画像データ縮小（Ｔ６０）、データ書き込み（追加又は上書き）（Ｔ６１）が行われてもよい。
【００７５】
以上のように、本例の無線端末装置２１では、ピクトブリッジ対応のデジタルスチルカメラ２２との接続機能を有するＵＳＢ接続機能５１及びプリンタ用のピクトブリッジ機能５２を搭載している。
なお、本例の無線端末装置２１は、例えば、非特許文献３又は非特許文献４のような規格に準拠した構成となっている。
また、本例の無線端末装置２１では、プリント出力の代わりに仮想バッファ５４へ画像データを出力する機能を有する。
【００７６】
また、本例の無線端末装置２１では、例えば、ファイル転送機能５５により、無線通信の異常終了を監視することで、自動的にリトライ（再送）する機能、正常終了であるか否かを表示する機能、通信失敗であった転送を手動でリトライ（再送）する機能を有する。これによって、ユーザの利便性がより向上する。
また、本例の無線端末装置２１では、一例として、デジタルスチルカメラ２２から受信した画像データサイズが閾値以上であった（又は、閾値を超えた）場合には、デジタルスチルカメラ２２に対して印刷要求リジェクトを送信する機能を有する。
また、本例の無線端末装置２１では、他の一例として、デジタルスチルカメラ２２から受信した画像データサイズが閾値以上であった（又は、閾値を超えた）場合には、画像データを展開して、画像データを縮小してから仮想バッファ５４へ出力する機能を有する。これによって、ユーザは、ＤＳＣ２２の画像サイズや撮像時の設定画像サイズを無線端末装置２１で送信するために設定・変更する必要がなくなり、ユーザの利便性がより向上する。
【００７７】
このように、本例では、ピクトブリッジ対応の撮像機器である例えばデジタルスチルカメラ２２からの操作によってプリンタから画像を出力する技術に関して、データ通信機能を有する通信装置（本例では、無線端末装置２１）が、接続されたデジタルスチルカメラ２２からの印刷要求に応じて、デジタルスチルカメラ２２から画像データを受信して記憶部（本例では、仮想バッファ５４）に書き込み、当該書き込みを終了すると、デジタルスチルカメラ２２へ印刷完了通知を送信するとともに、当該画像データを予め設定された相手先又は指定された相手先へ送信する。
【００７８】
従って、本例では、例えば、汎用のデジタルスチルカメラ２２からの操作によって、通信装置（本例では、無線端末装置２１）からの画像データの送信を可能とし、通信装置の使用者（ユーザ）の利便性を向上させることができる。上述した従来技術では、ＰＣ等にデータを保存し、それから無線端末装置２１とＰＣを接続して送信しなければならず、手間がかかり、時間もかかった。本発明（第２実施例に係る発明）によれば、ユーザは無線端末装置２１とＤＳＣ２２を接続して、ＤＳＣ２２の印刷要求操作をするだけで、撮像画像を送信でき、ユーザの手間を大幅に減らし、送信操作が容易で、誰でも実行できるようになり、且つ、画像送信にかかる時間を大幅に短縮できる。防災無線システムなどでは、災害時に災害情報の収集・伝達のため、画像データを迅速に送信する必要があるため、操作の容易化や送信までにかかる時間短縮は、非常に大きな効果となる。
【００７９】
なお、本例の無線端末装置２１（通信装置の一例）では、仮想バッファ５４の機能により画像データを記憶する記憶手段が構成されており、ＵＳＢ接続機能５１やＵＳＢＩＦ１２の機能によりデジタルスチルカメラ２２と接続する接続手段が構成されており、ピクトブリッジ機能５２により接続手段により接続されたデジタルスチルカメラ２２との間で通信を行う接続通信手段が構成されており、無線通信機能５８（無線部２やアンテナ３の機能）により接続手段による接続とは異なる回線（本例では、無線回線４１）を介して通信を行う通信手段が構成されており、電話番号保持機能５７やＭＭＩ機能５６や入力部８の機能により通信手段による通信の相手を予め設定する機能や指定により設定する機能を有する設定手段が構成されており、仮想バッファ出力機能５３やファイル転送機能５５により、接続手段により接続されたデジタルスチルカメラ２２から出力された印刷要求が接続通信手段により受信されたことに応じて、当該デジタルスチルカメラから出力される画像データを受信して記憶手段に書き込んで記憶させ、当該書き込みが終了した場合に接続通信手段により当該デジタルスチルカメラに対して印刷完了通知を送信し（以上は、仮想バッファ出力機能５３）、これとともに、設定手段により設定された相手先に対して記憶手段に記憶された画像データを通信手段により送信する（以上は、ファイル転送機能５５）制御手段が構成されている。
【００８０】
ここで、本発明（第２実施例に係る発明）に係るシステムや装置などの構成としては、必ずしも以上に示したものに限られず、種々な構成が用いられてもよい。例えば上述した実施例では、ＤＳＣ２２のピクトブリッジ機能による印刷要求に基づいて無線端末装置２１が画像データの送信処理等を行う場合を例にあげた。しかし、本発明（第２実施例に係る発明）におけるデジタルカメラからの印刷要求は、ピクトブリッジの方式に限定されるものではなく、様々な方式の印刷要求に対応でき、その場合、ピクトブリッジ機能５２はその方式に対応するものになり、処理内容は特に変わらない。また、本発明（第２実施例に係る発明）は、例えば、本発明（第２実施例に係る発明）に係る処理を実行する方法或いは方式や、このような方法や方式を実現するためのプログラムや当該プログラムを記録する記録媒体などとして提供することも可能であり、また、種々なシステムや装置として提供することも可能である。
【００８１】
また、本発明（第２実施例に係る発明）の適用分野としては、必ずしも以上に示したものに限られず、本発明（第２実施例に係る発明）は、種々な分野に適用することが可能なものである。
また、本発明（第２実施例に係る発明）に係るシステムや装置などにおいて行われる各種の処理としては、例えばプロセッサやメモリ等を備えたハードウェア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウェア回路として構成されてもよい。
また、本発明（第２実施例に係る発明）は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明（第２実施例に係る発明）に係る処理を遂行させることができる。
（以上、第２実施例の説明）
【実施例３】
【００８２】
本発明の第３実施例を説明する。
第３実施例に係る画像送信システムは、第１実施例で説明した構成に加えて、無線機１０１からの自動制御でデジタルカメラ１０２に自動撮影させ、自動送信（カメラ側からすれば自動印刷）させる機能を追加したものである。
【００８３】
図１４には、本例の無線機１０１において行われる画像送信処理の手順の一例を示してある。
まず、所定のカメラ画像送信メニューを表示している状態であるとする（ステップＳ３１）。
ここで、ユーザ（人）により、送信開始操作として、例えば、送信開始を選択して決定キーを押下すると（ステップＳ３２）、自動撮影設定の有無を判定する（ステップＳ３３）。
自動撮影設定無しの場合は、カメラ画像受信待ち（印刷待ち）の旨を表示し（ステップＳ３４）、自動撮影設定有りの場合には、撮影中である旨を表示して（ステップＳ３５）、相手局（本例では、基地局１１１及びＬＣＵ１１２を介して接続されるデータ伝送装置１１３）へ無線で発信し、無線接続を行う（ステップＳ３６）。
自動撮影設定無しの場合における動作は第１実施例と同様なので説明を省略し、以下、自動撮影設定有りの場合における動作について主に説明する。
【００８４】
無線機１０１は、撮影中である旨を表示した状態で、デジタルカメラ１０２の撮影制御を行い、撮影された画像データ（印刷データ）をＰＴＰ（Ｐｉｃｔｕｒｅ  Ｔｒａｎｓｆｅｒ  Ｐｒｏｔｏｃｏｌ）プロトコルを用いて取得（受信）して、例えば、内部のメモリに記憶する。
【００８５】
画像データ（印刷データ）の受信と相手局との無線接続が完了した時点で（ステップＳ３７）、ファイル送信中（データ送信中）の表示を行って（ステップＳ３８）、画像データ（印刷データ）のファイルデータの送信を開始する（ステップＳ３９）。
ここで、ファイルデータの送信方法としては、種々なものが用いられてもよく、例えば、ベーシック（Ｂａｓｉｃ）手順が用いられてもよく、或いは、ＸＭＯＤＥＭのようなバイナリ転送プロトコルが用いられてもよい。
【００８６】
ファイルデータの送信が完了すると（ステップＳ４０）、無線回線を切断して（ステップＳ４１）、ファイル送信の結果（画像送信終了の旨又は、画像送信の成否、又はその両方など）を表示する（ステップＳ４２）。なお、ファイル送信の失敗を検出して再送を行うことも可能である。
その後、再度、自動撮影設定の有無を判定する（ステップＳ４３）。自動撮影設定無しの場合は、カメラ画像送信メニューを表示する状態へ移行する（ステップＳ４４）。一方、自動撮影設定有りの場合には、設定時間（自動撮影の間隔を設定した時間）の経過後、撮影中の旨を表示して（ステップＳ３５）、上記と同様の処理を行う。
【００８７】
図１５には、本例の無線機１０１の画面に表示される内容の遷移の一例を示してある。
アイドル表示（画面Ｄ３１）の状態で、ユーザによりメニューキーが押下されると、設定メニュー（画面Ｄ３２、Ｄ３３）を表示する。
ユーザにより設定メニューからカメラ画像送信（カメラデータ送信）が選択されて決定キーが押下されると、カメラ画像送信メニュー（画面Ｄ３４）を表示する。
【００８８】
カメラ画像送信メニューでは、カメラ画像の送信のほかに、非音声通信に必要な設定や自動撮影の設定を行うことができる。
具体例として、ユーザの操作により、誤り訂正設定（画面Ｄ３５）へ移行して誤り訂正のオン／オフ（ＯＮ／ＯＦＦ）を設定することや、送信スロット数設定（画面Ｄ３６）へ移行して送信スロットの数を設定することや、また、相手先電話番号設定メニュー（画面Ｄ３７）へ移行した後に、電話帳（画面Ｄ３８）へ移行して相手先の電話番号を電話帳から選択すること或いは相手先電話番号入力（画面Ｄ３９）へ移行して相手先の電話番号を数字で直接入力することができる。ここで、通信の相手先の装置は、例えば、予め設定されていてもよい。
また、ユーザの操作により、自動撮影設定（画面Ｄ４０）へ移行して自動撮影の有無及び自動撮影の間隔（時間長）を設定することができる。なお、自動撮影の間隔は、予め用意されたリストの中から選択させる形式でもよく、ユーザに自由に入力させる形式でもよい。
これらの処理の後は、カメラ画像送信メニュー（画面Ｄ４）へ戻る。
【００８９】
カメラ画像送信メニュー（画面Ｄ３４）において、ユーザにより自動撮影が選択されて決定キーが押下されると、カメラ撮影待ち（画面Ｄ４１）を表示する。本例では、このカメラ撮影待ち（画面Ｄ４１）において、ユーザに対して撮影中である旨のメッセージが表示され、具体的には、「撮影しています  しばらくお待ち下さい」などと表示される。
デジタルカメラ１０２により自動撮影されて送信される印刷対象の画像データの受信を完了するとともに、相手局との無線接続が完了すると、データ送信中（画面Ｄ４２）を表示する。
【００９０】
データ送信中（画面Ｄ４２）の後に、データ送信が成功すると、成功（送信完了）した旨及び自動撮影継続中である旨の画像送信終了（画面Ｄ４３）を表示する。
一方、カメラ撮影待ち（画面Ｄ４１）の後にオンフック又は無線接続失敗が生じた場合や、データ送信中（画面Ｄ４２）の後にオンフック又はデータ送信失敗が生じた場合には失敗した旨及び自動撮影継続中である旨の画像送信終了（画面Ｄ４４）を表示する。
そして、画像送信終了（画面Ｄ４３又は画面Ｄ４４）の後に、設定時間（自動撮影の間隔を設定した時間）が経過すると、カメラ撮影待ち（画面Ｄ４１）を表示して上記の処理を行う。
なお、決定キーやクリアキーが使用可能な画面においては、決定キーの押下により選択された事項が決定され、クリアキーの押下により画面がクリアされて定められた他の画面へ移行する。
【００９１】
ここで、図１４と図１５の対応例を示すと、ステップＳ３１やステップＳ４４とカメラ画像送信メニュー（画面Ｄ３４）が対応し、ステップＳ３５とカメラ撮影待ち（画面Ｄ４１）が対応し、ステップＳ３８とデータ送信中（画面Ｄ４２）が対応し、ステップＳ４２と画像送信終了（画面Ｄ４３）が対応する。
【００９２】
以上のように、本例のカメラ画像送信システムでは、データ通信を行う無線機１０１において、デジタルカメラ１０２と例えばＵＳＢにより接続し、無線機１０１に対するユーザの操作により自動撮影を設定することで、無線機１０１からデジタルカメラ１０２の撮影制御を行い、当該撮影された画像データを取得するとともに、無線機１０１によりデータ送信を行う相手局に対して発信を行い、相手局との回線接続をし、無線機１０１は画像データの取得及び相手局との回線接続が完了した時点でユーザの操作無しに相手局へデータの送信を開始する。
【００９３】
また、本例のカメラ画像送信システムでは、無線機１０１に対するユーザの操作により自動撮影の間隔（時間長）を設定しておくことで、設定時間の経過毎に、無線機１０１に対するユーザの操作無しで、無線機１０１からデジタルカメラ１０２の撮影制御を行い、当該撮影された画像データを取得するとともに、無線機１０１によりデータ送信を行う相手局に対して発信を行い、相手局との回線接続をし、無線機１０１は画像データの取得及び相手局との回線接続が完了した時点でユーザの操作無しに相手局へデータの送信を開始する。
【００９４】
従って、本例のカメラ画像送信システムでは、デジタルカメラ１０２に対するユーザの操作無しに、無線機１０１に対する操作のみで、デジタルカメラ１０２に自動撮影させ、撮影された画像データを印刷データとして自動送信させることができる。また、このような自動撮影や自動送信を、予め設定された時間毎に繰り返し行うことができる。
【００９５】
ここで、本例のカメラ画像送信システムでは、無線機１０１からデジタルカメラ１０２を制御するために、デジタルカメラ１０２に、（１）無線機１０１からの撮影指令（制御信号）に基づいて撮影を行う機能、（２）撮影後に当該撮影された画像データを自動印刷（つまり、無線機１０１へデータ送信）する機能を設けた。
すなわち、本例のデジタルカメラ１０２は、無線機１０１から撮影指令（制御信号）を受信したことに応じて、撮影を自動的に実施し、当該撮影により得られた画像データを印刷データとして無線機１０１へ自動的に送信する。
【００９６】
なお、本例のカメラ画像送信システムは、次のような構成として把握できる。
データを通信する通信装置（無線機１０１）と、画像を撮影するデジタルカメラ（デジタルカメラ１０２）を有する。
前記デジタルカメラは、前記通信装置から撮影指令を含む制御信号を受信したことに応じて、画像の撮影を行い、当該撮影により得られた画像データを前記通信装置へ送信する撮影送信手段を備える。
前記通信装置は、少なくとも画像データを記憶する記憶手段と、デジタルカメラと接続する接続手段と、前記接続手段により接続されたデジタルカメラとの間で通信を行う接続通信手段と、前記接続手段による接続とは異なる回線を介して通信を行う通信手段と、前記通信手段による通信の相手を予め設定する機能或いは指定により設定する機能の一方又は両方を有する通信相手設定手段と、前記接続手段により接続されたデジタルカメラに対する前記制御信号の送信を設定する撮影設定手段と、前記撮影設定手段により前記制御信号の送信が設定された場合に、前記デジタルカメラに前記制御信号を送信し、前記設定手段により設定された相手先に対して前記通信手段により通信回線を接続するとともに、前記デジタルカメラから送信される印刷対象の画像データを受信して前記記憶手段に記憶させ、当該画像データの受信が完了し且つ前記相手先に対する通信回線が接続された場合に、前記相手先に対して前記記憶手段に記憶された画像データを前記通信手段により送信する制御手段と、を備える。
【００９７】
更に、前記通信装置は、前記接続手段により接続されたデジタルカメラに対して前記制御信号を送信する間隔を設定する撮影間隔設定手段を備え、前記制御手段は、前記撮影間隔設定手段により設定された間隔毎に、前記デジタルカメラに前記制御信号を送信し、前記設定手段により設定された相手先に対して前記通信手段により通信回線を接続するとともに、前記デジタルカメラから送信される印刷対象の画像データを受信して前記記憶手段に記憶させ、当該画像データの受信が完了し且つ前記相手先に対する通信回線が接続された場合に、前記相手先に対して前記記憶手段に記憶された画像データを前記通信手段により送信する。
【００９８】
なお、例えば、通信装置に対してユーザの操作により自動撮影する時間（日付や時刻）を設定し、当該時間の到来を契機に制御信号をデジタルカメラへ送信するように構成することで、所望の日時に撮影を行わせ、その画像データを送信させるようにしてもよい。
また、例えば、通信装置に対してユーザの操作によりカメラの向きや倍率等の撮影条件を設定し、当該撮影条件を含む制御信号をデジタルカメラへ送信するように構成することで、当該撮影条件に従って撮影を行わせ、その画像データを送信させるようにしてもよい。この場合には、デジタルカメラに、通信装置からの制御信号に含まれる撮影条件に従って撮影を行う機能を設ければよい。
【００９９】
ここで、本発明（第３実施例に係る発明）に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明（第３実施例に係る発明）の適用分野としては、必ずしも以上に示したものに限られず、本発明は、種々な分野に適用することが可能なものである。
また、本発明（第３実施例に係る発明）に係るシステムや装置などにおいて行われる各種の処理としては、例えばプロセッサやメモリ等を備えたハードウェア資源においてプロセッサがＲＯＭに格納された制御プログラムを実行することにより制御される構成が用いられてもよく、また、例えば当該処理を実行するための各機能手段が独立したハードウェア回路として構成されてもよい。
また、本発明（第３実施例に係る発明）は上記の制御プログラムを格納したフロッピー（登録商標）ディスクやＣＤ−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
（以上、第３実施例の説明）
【符号の説明】
【０１００】
１・・電源、  ２・・無線部、  ３・・アンテナ、  ４・・ＣＰＵ、  ５・・不揮発メモリ、  ６・・ＲＡＭ、  ７・・表示部、  ８・・入力部、  ９・・ＬＥＤ、  １０・・マイク、  １１・・スピーカ、  １２・・ＵＳＢＩＦ、  １３・・シリアルＩＦ、  ２１・・無線端末装置、  ２２・・デジタルスチルカメラ、  ２３・・データ伝送装置、  ３１・・無線基地局装置、  ３２・・回線交換局装置、  ３３・・有線端末装置、  ３４・・データ伝送装置、  ４１・・無線回線、  ４２〜４４・・有線伝送路、  ５１・・ＵＳＢ接続機能、  ５２・・ピクトブリッジ機能、  ５３・・仮想バッファ出力機能、  ５４・・仮想バッファ、  ５５・・ファイル転送機能、  ５６・・ＭＭＩ機能、  ５７・・電話番号保持機能、  ５８・・無線通信機能、
１０１、２０１・・無線機、  １０２、２０２・・デジタルカメラ、  １０３・・専用ケーブル、  １１１、２１１・・基地局、  １１２、２１２・・ＬＣＵ、  １１３、２０４、２１３・・データ伝送装置、  １２１、１２２、２２１、２２２・・ケーブル、  ２０３・・メモリカード、  ２０５・・専用ケーブル、
【図１】
0005808176.tif 000002
【図２】
0005808176.tif 000003
【図３】
0005808176.tif 000004
【図４】
0005808176.tif 000005
【図５】
0005808176.tif 000006
【図６】
0005808176.tif 000007
【図７】
0005808176.tif 000008
【図８】
0005808176.tif 000009
【図９】
0005808176.tif 000010
【図１０】
0005808176.tif 000011
【図１１】
0005808176.tif 000012
【図１２】
0005808176.tif 000013
【図１３】
0005808176.tif 000014
【図１４】
0005808176.tif 000015
【図１５】
0005808176.tif 000016